(57)【特許請求の範囲】
【請求項１】
ボール部と、ボール部の底部から延びる上昇管路と上昇管路に接続する下降管路とを有する排水トラップとを備える水洗便器のボール部に洗浄水を供給し、排水トラップにサイホン現象を発生させてボール部から汚物を排出する水洗便器の洗浄方法であって、ボール部への洗浄水の供給開始から排水トラップにサイホン現象が発生するまでの間、排水トラップの頂部から排水トラップ内の空気を吸い出し、排水トラップの下降管路ヘ洗浄水を吐出してサイホン現象の発現を迅速化すると共に、排水トラップの下降管路ヘ吐出する洗浄水を排水トラップの堰部へ差し向けて、吐出された洗浄水とボール部内の溜水とボール部に供給された洗浄水とによって閉空間を形成することを特徴とする水洗便器の洗浄方法。
【請求項２】
空気を洗浄水に混入させて排水トラップの下降管路へ吐出することを特徴とする請求項１に記載の水洗便器の洗浄方法。
【請求項３】
ボール部と、ボール部の底部から延びる上昇管路と上昇管路に接続する下降管路とを有する排水トラップとを備える水洗便器のボール部に洗浄水を供給し、排水トラップにサイホン現象を発生させてボール部から汚物を排出する水洗便器の洗浄方法であって、排水トラップの頂部から排水トラップ内の空気を吸い出し、吸い出した空気を洗浄水に混入させて排水トラップの下降管路へ吐出することを特徴とする水洗便器の洗浄方法。
【請求項４】
ボール部と、ボール部の底部から延びる上昇管路と上昇管路に接続する下降管路とを有する排水トラップとを有する便器本体と、便器本体に洗浄水を供給する洗浄水供給手段と、ボール部に洗浄水を吐出する第１洗浄水吐出手段と、排水トラップの頂部から排水トラップ内の空気を吸い出す空気吸引手段と、排水トラップの下降管路へ洗浄水を吐出する第２洗浄水吐出手段と、第２洗浄水吐出手段から吐出する洗浄水に空気を混入する空気混入手段を備え、空気混入手段は、空気吸引手段が吸い出した空気を洗浄水に混入させることを特徴とする水洗便器。
【請求項５】
第１洗浄水吐出手段と、空気吸引手段と、第２洗浄水吐出手段の作動タイミングを制御する制御手段を備えることを特徴とする請求項４に記載の水洗便器。
【請求項６】
空気吸引手段から排水トラップへの空気の逆流を防止する逆流防止手段を備えることを特徴とする請求項４又は５に記載の水洗便器。
【請求項７】
空気吸引手段は、洗浄水流のエジェクタ作用を利用して排水トラップの頂部から排水トラップ内の空気を吸い出すことを特徴とする請求項４乃至６の何れか１項に記載の水洗便器。
【発明の詳細な説明】
【０００１】
【発明の属する技術分野】
本発明は水洗便器の洗浄方法及び水洗便器に関するものである。
【０００２】
【従来の技術】
特許第２６３３９３２号に、ボール部と、ボール部の底部から延びる上昇管路と上昇管路に接続する下降管路とを有する排水トラップとを備える水洗便器のボール部に洗浄水を供給し、排水トラップにサイホン現象を発生させてボール部から汚物を排出する水洗便器の洗浄方法であって、排水トラップの下降管路ヘ洗浄水を吐出し、排水トラップ内の空気を洗浄水に巻き込んで外部排出管へ排出して排水トラップを減圧し、サイホン現象の発生を促進させて節水を図った水洗便器の洗浄方法が開示されている。
【０００３】
【発明が解決しようとする課題】
特許第２６３３９３２号の洗浄方法には、洗浄水の空気巻き込みだけでは、排水トラップを迅速に減圧できず、大幅な節水を実現できないという問題がある。本発明は上記問題に鑑みてなされたものであり、特許第２６３３９３２号の開示技術に比べて更なる節水を実現できる水洗便器の洗浄方法と、当該方法を実施するための水洗便器とを提供することを目的とする。
【０００４】
【課題を解決するための手段】
本発明においては、上記課題を解決するために、ボール部と、ボール部の底部から延びる上昇管路と上昇管路に接続する下降管路とを有する排水トラップとを備える水洗便器のボール部に洗浄水を供給し、排水トラップにサイホン現象を発生させてボール部から汚物を排出する水洗便器の洗浄方法であって、ボール部への洗浄水の供給開始から排水トラップにサイホン現象が発生するまでの間、排水トラップの頂部から排水トラップ内の空気を吸い出し、排水トラップの下降管路ヘ洗浄水を吐出してサイホン現象の発現を迅速化すると共に、排水トラップの下降管路ヘ吐出する洗浄水を排水トラップの堰部へ差し向けて、吐出された洗浄水とボール部内の溜水とボール部に供給された洗浄水とによって閉空間を形成することを特徴とする水洗便器の洗浄方法を提供する。
【０００５】
本発明に係る水洗便器の洗浄方法においては、排水トラップの頂部から排水トラップ内の空気を吸い出して排水トラップを減圧すると共に、排水トラップの下降管路ヘ洗浄水を吐出し、洗浄水に巻き込んで排水トラップ内の空気を外部排出管ヘ排出して排水トラップを減圧する。排水トラップを流れる洗浄水により外部排水管から排水トラップへの空気の逆流が抑制される。排水トラップの頂部からの排水トラップ内空気の吸い出しと、下降管路へ吐出した洗浄水に巻き込むことによる排水トラップから外部排出管への排水トラップ内空気の排出とを行い、且つ下降管路へ洗浄水を吐出して外部排出管から排水トラップへの空気の逆流を抑制することにより、排水トラップが迅速に減圧され、サイホン現象が迅速に発現する。この結果、従来技術に比べて大幅な節水が実現される。
ボール部への洗浄水の供給開始から排水トラップにサイホン現象が発生するまでの間、排水トラップの頂部から排水トラップ内の空気を吸い出し、排水トラップの下降管路ヘ洗浄水を吐出すれば良い。排水トラップにサイホン現象が発生した後は、排水トラップ内に自律的に負圧が発生するので、排水トラップを強制的に減圧する必要は無い。
排水トラップの堰部へ向けて洗浄水を吐出すると、吐出された洗浄水とボール部内の溜水及び洗浄水とによって比較的狭い閉空間が形成され、当該閉空間が短時間で減圧状態になるので、ボール部内の溜水及び洗浄水の排水トラップの下降管路への搬送が促進されて、サイホン現象が迅速に発現し、節水が促進される。
【０００６】
本発明の好ましい態様においては、空気を洗浄水に混入させて排水トラップの下降管路へ吐出する。
空気を洗浄水に混入させて排水トラップの下降管路へ吐出することにより、排水トラップの下降管路へ吐出する洗浄水の流量が低減し、ひいては更なる節水が実現される。空気は洗浄水に混入されているので、排水トラップの頂部方向へは拡散しない。
【０００７】
本発明においては、ボール部と、ボール部の底部から延びる上昇管路と上昇管路に接続する下降管路とを有する排水トラップとを備える水洗便器のボール部に洗浄水を供給し、排水トラップにサイホン現象を発生させてボール部から汚物を排出する水洗便器の洗浄方法であって、排水トラップの頂部から排水トラップ内の空気を吸い出し、吸い出した空気を洗浄水に混入させて排水トラップの下降管路へ吐出することを特徴とする水洗便器の洗浄方法を提供する。
本発明に係る水洗便器の洗浄方法においては、排水トラップの頂部から排水トラップ内の空気を吸い出して排水トラップを減圧すると共に、排水トラップの下降管路ヘ洗浄水を吐出し、洗浄水に巻き込んで排水トラップ内の空気を外部排出管ヘ排出して排水トラップを減圧する。排水トラップを流れる洗浄水により外部排水管から排水トラップへの空気の逆流が抑制される。排水トラップの頂部からの排水トラップ内空気の吸い出しと、下降管路へ吐出した洗浄水に巻き込むことによる排水トラップから外部排出管への排水トラップ内空気の排出とを行い、且つ下降管路へ洗浄水を吐出して外部排出管から排水トラップへの空気の逆流を抑制することにより、排水トラップが迅速に減圧され、サイホン現象が迅速に発現する。この結果、従来技術に比べて大幅な節水が実現される。
空気を洗浄水に混入させて排水トラップの下降管路へ吐出することにより、排水トラップの下降管路へ吐出する洗浄水の流量が低減し、ひいては更なる節水が実現される。空気は洗浄水に混入されているので、排水トラップの頂部方向へは拡散しない。
排水トラップの頂部から吸い出した空気を洗浄水に混入させて排水トラップの下降管路へ吐出し、外部排出管へ排出することにより、排水トラップ内の空気が便器近傍のトイレ空間に排出されるのを防止することができる。
【０００８】
本発明においては、ボール部と、ボール部の底部から延びる上昇管路と上昇管路に接続する下降管路とを有する排水トラップとを有する便器本体と、便器本体に洗浄水を供給する洗浄水供給手段と、ボール部に洗浄水を吐出する第１洗浄水吐出手段と、排水トラップの頂部から排水トラップ内の空気を吸い出す空気吸引手段と、排水トラップの下降管路へ洗浄水を吐出する第２洗浄水吐出手段と、第２洗浄水吐出手段から吐出する洗浄水に空気を混入する空気混入手段を備え、空気混入手段は、空気吸引手段が吸い出した空気を洗浄水に混入させることを特徴とする水洗便器を提供する。
本発明に係る水洗便器においては、空気吸引手段と第２洗浄水吐出手段とにより、従来技術に比べて迅速に排水トラップが減圧され、従来技術に比べて更なる節水が実現される。
空気混入手段により、更なる節水が実現される。
空気吸引手段が吸い出した空気を洗浄水に混入させることにより、排水トラップ内の空気が便器近傍のトイレ空間に排出されるのを防止することができる。
【０００９】
本発明の好ましい態様においては、水洗便器は、第１洗浄水吐出手段の作動タイミングと、空気吸引手段の作動タイミングと、第２洗浄水吐出手段の作動タイミングとを制御する制御手段を備える。
第１洗浄水吐出手段の作動タイミングと、空気吸引手段の作動タイミングと、第２洗浄水吐出手段の作動タイミングとを制御することにより、ボール部への洗浄水の供給開始から排水トラップにサイホン現象が発生するまでの間、排水トラップの頂部から排水トラップ内の空気を吸い出し、排水トラップの下降管路ヘ洗浄水を吐出することができる。空気吸引手段の作動タイミングと、第２洗浄水吐出手段の作動タイミングとを重畳させることにより、排水トラップ内の減圧が迅速に行われる。
【００１０】
本発明の好ましい態様においては、水洗便器は、空気吸引手段から排水トラップへの空気の逆流を防止する逆流防止手段を備える。
逆流防止手段を配設することにより、サイホン現象発生中に排水トラップ内に空気が流入し、サイホン現象が消滅する事態の発生を防止することができる。
【００１１】
本発明の好ましい態様においては、空気吸引手段は、洗浄水流のエジェクタ作用を利用して排水トラップの頂部から排水トラップ内の空気を吸い出す。
洗浄水流のエジェクタ作用を利用し、簡便な機構で空気吸引手段を構成することができる。
【００１２】
【発明の実施の形態】
本発明の実施例に係る洗浄方法が具現化される水洗便器を説明する。図１に示すように、水洗便器Ａは便器本体１を備えている。便器本体１は、ボール部２と、ボール部２の上端周縁に形成されたリム通水路３と、ボール部２の底部から延びる排水トラップ４と、収納部５とを有している。リム通水路３にはボール部へ差し向けられた複数のリム吐水穴３ａが形成されている。排水トラップ４は、ボール部２の底部から延びる上昇管路４ａと、上昇管路４ａに接続する下降管路４ｂとを有している。排水トラップ４の頂部に、吸気穴４ｃが形成されている。下降管路４ｂの上部に吐水穴４ｄが形成されている。下降管路４ｂの下端は図示しない外部排出管に接続している。
【００１３】
図示しない上水道の給水管に接続する配管６が、収納部５内へ延びている。収納部５内で、配管６から配管７、８が分岐している。配管７の途上に開閉弁９と大気開放弁１０とが配設されている。配管７はリム通水路３に接続している。配管８の途上に開閉弁１１と大気開放弁１２とが配設されている。配管８は収納部５内に配設されたジェットポンプ１３に接続している。収納部５内に、開閉弁９、１１の作動を制御する制御装置１４が配設されている。収納部５の外側に、制御装置１４に洗浄開始信号を送る操作部１５が配設されている。
【００１４】
図２に示すように、ジェットポンプ１３は、直管１３ａ１と直管１３ａ１に直交する枝管１３ａ２とを有するＴ字形状の外管１３ａと、外管１３ａの直管１３ａ１
に螺入された内管１３ｂとを有している。直管１３ａ１と内管１３ｂとの螺合部はパッキン１６によりシールされている。枝管１３ａ２の自由端が給水口１３ｃを形成し、内管１３ｂの直管１３ａ１から突出する端部が給気口１３ｄを形成し、直管１３ａ１の給気口１３ｄから離隔する側の端部が吐水口１３ｅを形成している。吐水口１３ｅ近傍の直管１３ａ１の内面と直管１３ａ１内に在る内管１３ｂの端部外面との間に狭幅の環状流路１３ｆが形成されている。狭幅の環状流路１３ｆは給水口１３ｄと吐水口１３ｅとに連通している。図１、２に示すように、ジェットポンプ１３の給水口１３ｃは配管８に接続し、給気口１３ｄは配管１７を介して吸気穴４ｃに接続し、吐水口１３ｅは配管１８を介して吐水穴４ｄに接続している。
【００１５】
水洗便器Ａにおいて具現化される水洗便器の洗浄方法を説明する。水洗便器Ａの利用者が、排便後、操作部１５を操作して洗浄開始を制御装置１４に指示する。制御装置１４は開閉弁９、１１を開駆動し、図示しない上水道の給水管から配管６を介して配管７、８ヘ洗浄水を供給する。配管７ヘ供給された洗浄水は、リム通水路３ヘ流入し、リム吐水穴３ａからボール部２の上部へ吐出する。洗浄水はボール部２の上部内面を洗浄して、ボール部２内の溜水Ｗへ合流し、溜水Ｗの水位を上昇させる。
【００１６】
配管８ヘ供給された洗浄水は、図２で二重矢印で示すように、ジェットポンプ１３の給水口１３ｃを通って直管１３ａ１と内管１３ｂとの間の環状流路ヘ流入し、更に狭幅の環状流路１３ｆを通り、高速の環状流となって吐水口１３ｅから吐出する。洗浄水の高速運動が摩擦により内管１３ｂ内部の空気へ伝達され、内管１３ｂ内部の空気も洗浄水に巻き込まれて洗浄水と共に吐水口１３ｅから高速で吐出する。この結果、内管１３ｂの内部に負圧が発生し、図１、２で破線矢印で示すように、排水トラップ４の頂部近傍の空気が吸気口４ｃを介して吸い出され、配管１７を介して内管１３ｂヘ吸引される。内管１３ｂヘ吸引された空気は、洗浄水の高速環状流へ巻き込まれて、洗浄水と共に吐水口１３ｅから高速で吐出する。ジェットポンプ１３の吐水口１３ｅから高速で吐出した洗浄水と空気とは、配管１８内で混合される。この結果、図１で白抜矢印で示すように、洗浄水と空気との混合流が吐水口４ｄを介して、排水トラップ４の下降管路４ｂヘ吐出する。排水トラップ４の下降管路４ｂヘ吐出した洗浄水と空気との混合流は、排水トラップ４内の空気を巻き込みつつ外部排出管路ヘ排出される。
【００１７】
ジェットポンプ１３のエジェクタ作用を利用して排水トラップ４の頂部近傍の空気を吸い出すことにより、排水トラップ４が減圧される。排水トラップ４の下降管路４ｂヘ洗浄水を吐出し、洗浄水に巻き込んで排水トラップ４内の空気を外部排出管ヘ排出することにより、排水トラップ４が減圧される。下降管路４ｂを洗浄水が流れることにより外部排水管から排水トラップ４への空気の逆流が抑制される。この結果、排水トラップ４が迅速に減圧され、サイホン現象が迅速に発現し、サイホン現象発現までに消費される洗浄水量が従来の水洗便器に比べて大幅に低減し、大幅な節水が実現される。空気を洗浄水に混入させて排水トラップ４の下降管路４ｂへ吐出することにより、排水トラップ４の下降管路４ｂへ吐出する洗浄水の流量が低減する。洗浄水に加えて下降管路４ｂを空気が流れることにより外部排水管から排水トラップ４への空気の逆流が更に効果的に抑制される。この結果、更なる節水が実現される。空気は洗浄水に混入されているので、排水トラップ４の頂部方向へは拡散しない。排水トラップ４の頂部から吸い出した空気を洗浄水に混入させて排水トラップ４の下降管路４ｂへ吐出し、外部排出管へ排出することにより、排水トラップ４内の空気が水洗便器Ａ近傍のトイレ空間に排出されるのを防止することができ、外部排出管からの悪臭や、病害虫、汚物等がトイレ空間に放出されることを、脱臭装置やトラップ、フィルター等の特別な設備を設けることなく防止することができる。ジェットポンプ１３の作動により、排水トラップ４の頂部からの空気の吸い出しと、排水トラップ４の下降管路４ｂへの洗浄水の吐出とが重畳して行われるので、排水トラップ４内の減圧が迅速に行われる。
【００１８】
制御装置１４は、排水トラップ４内の洗浄水の流量を検知する等の方法でサイホン現象の発生を認識し、或いはボール２内の溜水Ｗの水位や洗浄開始からの経過時間等によりサイホン現象の発生を推察する。サイホン現象が発現した時点で、制御装置１４は開閉弁１１を閉じ、ジェットポンプ１３からの洗浄水と空気との吐出を停止させる。排水トラップ４の頂部近傍の空気の吸い出しと、下降管路４ｂへの洗浄水と空気の混合流の吐出とが停止する。排水トラップ４にサイホン現象が発生した後は、排水トラップ４内に自律的に負圧が発生するので、排水トラップ４を強制的に減圧する必要は無い。サイホン現象発生中に排水トラップ４内に空気が流入するとサイホン現象が消滅する。吸気口４ｃから吸い出した空気を吐水口４ｄから排水トラップの下降管路４ｂへ吐出する構成を採用しているので、サイホン現象発生中は吸気口４ｃも吐水土４ｄも水中にある。従って、サイホン現象発生中に、吐水口４ｄから吸気口４ｃへ空気が逆流して排水トラップ４内に空気が流入する恐れは無い。排水トラップ４に発現したサイホン現象により、ボール部２内の汚物と汚水とがボール部２から排出される。ボール部２内の溜水Ｗの水位低下により、排水トラップ４内に空気が流入し、サイホン現象が終了する。所定量の洗浄水がリム吐水穴３ａから吐出して、ボール部２の溜水Ｗの水位が所定値まで回復した時点で、制御装置１４は開閉弁９を閉じる。この結果、リム吐水穴３ａからの洗浄水の吐出が停止し、便器洗浄が終了する。水洗便器Ａは、開閉弁９、１１、大気開放弁１０、１２、ジェットポンプ１３、制御装置１４等の機能部品を便器本体１に形成した収納部５内に収納することにより、小型化されている。洗浄水流のエジェクタ作用を利用することにより、簡便な機構で排水トラップ４の頂部から空気を吸い出している。構造が単純で小型化可能なジェットポンプ１３を使用することにより、ブロワ等を使用して空気の吸い出しと洗浄水への空気の混入とを行う場合に比べて、水洗便器Ａは小型化され、且つブロワ等の駆動電源も不要となっている。
【００１９】
以上本発明の実施例を説明したが、本発明は上記実施例に限定されない。図３に示すように、吸気口４ｃを廃止し吐水口４ｄを拡径して吸気兼吐水口４ｄ′とし、配管１７、１８の端部を吸気兼吐水口４ｄ′に対峙させても良い。吸気口４ｃを廃止することにより、便器本体１の加工工数が低減する。図３に示すように、配管１８の端部を排水トラップ４の堰部４ｅへ差し向けても良い。排水トラップ４の堰部４ｅへ向けて洗浄水を吐出すると、吐出された洗浄水とボール部２内の溜水Ｗ及び洗浄水とによって比較的狭い閉空間が形成され、当該閉空間が短時間で減圧状態になるので、ボール部２内の溜水Ｗ及び洗浄水の排水トラップ４の下降管路４ｂへの搬送が促進されて、サイホン現象が迅速に発現し、節水が促進される。
【００２０】
図４に示すように、上水道の給水管に接続する配管６をフラッシュバルブ１９に接続し、フラッシュバルブ１９から大気開放弁１０を介してリム通水路３に洗浄水を供給すると共に、フラッシュバルブ１９から大気開放弁１１を介してジェットポンプ１３に洗浄水を供給するように構成しても良い。図５に示すように、配管６を貯水タンク２０に接続し、貯水タンク内の貯水の水頭圧を利用して、開閉弁９と大気開放弁１０とを介してリム通水路３へ洗浄水を供給すると共に、開閉弁１１と大気開放弁１２とを介してジェットポンプ１３へ洗浄水を供給するように構成しても良い。図６に示すように、配管６をフラッシュバルブ２１に接続すると共に、フラッシュバルブ２１よりも上流の配管６から分岐する分岐配管６ａを貯水タンク２２に接続し、フラッシュバルブ２１から貯水タンク２２内に配設したジェットポンプ２３に洗浄水を供給し、貯水タンク２２内の貯水を吸引合流させて、リム通水路３に供給すると共に、フラッシュバルブ２１から大気開放弁１２を介してジェットポンプ１３に洗浄水を供給するように構成しても良い。
【００２１】
ブロワ等を用いて排水トラップ４の頂部から吸い出した空気を洗浄水と混合することなく下降管路４ｂへ吐出し、洗浄水は空気とは別個に下降管路４ｂへ吐出するように構成しても良い。排水トラップの頂部からの空気の吸い出しと、下降管路４ｂへ吐出した洗浄水と空気とに巻き込まれることによる排水トラップ４から外部排出管への空気の排出と、下降管路４ｂを洗浄水と空気とが流れることによる外部排出管からの空気の逆流の抑制と、洗浄水が空気と共に下降管路４ｂヘ吐出されることによる吐出空気の排水トラップの頂部方向への拡散の抑制とにより、排水トラップ４が迅速に減圧され、排水トラップ４内に迅速にサイホン現象が発現し、大幅な節水が実現される。ブロワ等を用いて排水トラップ４の頂部から吸い出した空気は下降管路へ吐出させず、洗浄水のみを下降管路へ吐出させても良い。排水トラップの頂部からの空気の吸い出しと、下降管路４ｂへ吐出した洗浄水に巻き込まれることによる排水トラップ４から外部排出管への空気の排出と、下降管路４ｂを洗浄水が流れることによる外部排出管からの空気の逆流の抑制とにより、排水トラップ４が迅速に減圧され、排水トラップ４内に迅速にサイホン現象が発現し、大幅な節水が実現される。この場合には、サイホン現象発生中にブロワ等から吸気口を介して排水トラップへ空気が逆流するのを防止する逆流防止装置を配設し、サイホン現象が消滅する事態の発生を防止するのが望ましい。逆流防止装置として、ブロワ等と吸気口との連通路を遮断する開閉弁、前記連通路の途上に配設された逆止弁等が挙げられる。配管７の途上にエジェクタを配設し、配管７を流れる洗浄水のエジェクタ作用により、吸気口４ｃを介して排水トラップ４の頂部から空気を吸い出し、配管８を吐水口４ｄに直結して吐水口４ｄから洗浄水を吐出させるように構成しても良い。この場合にも、サイホン現象発生中に配管７の途上に配設したエジェクタから吸気口４ｃを介して排水トラップ４へ空気が逆流するのを防止する逆流防止装置を配設し、サイホン現象が消滅する事態の発生を防止するのが望ましい。
【００２２】
配管７から配管８を分岐させ、配管８の上流端部に開閉弁を配設し、洗浄開始からサイホン現象の発現までの間、配管８に洗浄水を供給するように構成しても良い。
【００２３】
図１に示すように、下降管路４ｂの吐水口４ｄの直下の部位に、突起４ｆを形成しても良い。突起４ｆに衝突した洗浄水が、水膜を形成して下流方向へ案内されるので、外部排出管から排水トラップ４の頂部への空気の逆流が効果的に防止される。洗浄水を水膜状にすることにより、洗浄水と空気との接触面積が増加し、洗浄水による空気の巻き込み効果が増加し、洗浄水による排水トラップ４の頂部からの空気の排出が促進される。図３で一点鎖線で示すように、排水トラップ４の堰部４ｅに、下降管路４ｂの方向へ突出する突起４ｇを形成しても良い。突起４ｇに衝突した洗浄水が、水膜を形成して下流方向へ案内されるので、外部排出管から排水トラップ４の頂部への空気の逆流が効果的に防止される。洗浄水を水膜状にすることにより、洗浄水と空気との接触面積が増加し、洗浄水による空気の巻き込み効果が増加し、洗浄水による排水トラップ４の頂部からの空気の排出が促進される。突起４ｇにより形成された水膜により、排水トラップ４の頂部に狭い閉鎖空間が形成される。配管１７を介して空気を吸い出すことにより、前記の狭い閉鎖空間が迅速に減圧され、迅速にサイホン現象が招来され、更なる節水が実現される。
【００２４】
突起４ｆ、４ｇを形成する代わりに、図７に示すように堰部４ｅと下降管路４ｂの境界に段差４ｅ′を形成しても良く、或いは図８に示すように、堰部４ｅに下降管路４ｂへ向かう傾斜した助走部４ｅ″を形成しても良い。係る構成によっても、洗浄水の水膜を形成することかできる。
【００２５】
本発明に係る水洗便器の洗浄方法は、ボール部２の底部から排水トラップ４ヘ向けて洗浄水を吐出して、サイホン現象の発現を促進させたサイホンジェット式の水洗便器にも適用可能である。
【００２６】
【発明の効果】
上記説明から分かるように、本発明に係る水洗便器の洗浄方法においては、排水トラップの頂部から排水トラップ内の空気を吸い出して排水トラップを減圧すると共に、排水トラップの下降管路ヘ洗浄水を吐出し、洗浄水に巻き込んで排水トラップ内の空気を外部排出管ヘ排出して排水トラップを減圧する。排水トラップを流れる洗浄水により外部排水管から排水トラップへの空気の逆流が抑制される。排水トラップの頂部からの排水トラップ内空気の吸い出しと、下降管路へ吐出した洗浄水に巻き込むことによる排水トラップから外部排出管への排水トラップ内空気の排出とを行い、且つ下降管路へ洗浄水を吐出して外部排出管から排水トラップへの空気の逆流を抑制することにより、排水トラップが迅速に減圧され、サイホン現象が迅速に発現する。この結果、従来技術に比べて大幅な節水が実現される。
ボール部への洗浄水の供給開始から排水トラップにサイホン現象が発生するまでの間、排水トラップの頂部から排水トラップ内の空気を吸い出し、排水トラップの下降管路ヘ洗浄水を吐出すれば良い。排水トラップにサイホン現象が発生した後は、排水トラップ内に自律的に負圧が発生するので、排水トラップを強制的に減圧する必要は無い。
排水トラップの堰部へ向けて洗浄水を吐出すると、吐出された洗浄水とボール部内の溜水及び洗浄水とによって比較的狭い閉空間が形成され、当該閉空間が短時間で減圧状態になるので、ボール部内の溜水及び洗浄水の排水トラップの下降管路への搬送が促進されて、サイホン現象が迅速に発現し、節水が促進される。
【図面の簡単な説明】
【図１】本発明の実施例に係る洗浄方法が具現化される水洗便器の断面図である。
【図２】図１の水洗便器が備えるジェットポンプの断面図である。
【図３】図１の水洗便器の変形例の断面図である。
【図４】洗浄水供給手段の変形例の構成図である。
【図５】洗浄水供給手段の変形例の構成図である。
【図６】洗浄水供給手段の変形例の構成図である。
【図７】図１の水洗便器の変形例の断面図である。
【図８】図１の水洗便器の変形例の断面図である。
【符号の説明】
Ａ 水洗便器
１ 便器本体
２ ボール部
３ リム通水路
４ 排水トラップ
４ａ 上昇管路
４ｂ 下降管路
４ｃ 吸気口
４ｄ 吐水口
４ｄ′ 吸気兼吐水口
４ｅ 堰部
４ｅ′ 段差
４ｅ″ 助走部
４ｆ、４ｇ 突起
９、１１ 開閉弁
１３ ジェットポンプ
【図１】
0004411757.tif 000002
【図２】
0004411757.tif 000003
【図３】
0004411757.tif 000004
【図４】
0004411757.tif 000005
【図５】
0004411757.tif 000006
【図６】
0004411757.tif 000007
【図７】
0004411757.tif 000008
【図８】
0004411757.tif 000009